【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
第１の動作モードと前記第１の動作モードとは画像形成速度が異なる第２の動作モードを有する画像形成装置であって、
現像剤を収容する現像剤容器と、
前記現像剤容器の現像剤量を検知するための光透過式の現像剤量検知手段と、
前記現像剤量検知手段によって検知される現像剤量に係わるデータに基づいて現像剤量を求める処理手段と、
前記第２の動作モードにおいて前記現像剤量検知手段によって検知される現像剤量に係わるデータを補正するための情報を記憶する記憶手段と、を有し、
前記処理手段は、前記第２の動作モードにおいて、前記現像剤量検知手段によって検知される現像剤量に係わるデータを前記記憶手段に記憶されている情報に基づいて補正処理して、補正処理したデータに基づいて現像剤量を求めることを特徴とする画像形成装置。
【請求項２】
更に、前記記憶手段は、前記補正処理したデータと前記現像剤量との関係を示す情報を記憶しており、
前記処理手段は、前記記憶手段に記憶されている情報に基づいて現像剤量を求めることを特徴とする請求項１に記載の画像形成装置。
【請求項３】
前記処理手段は、前記補正処理されたデータを複数用いて統計処理して得られたデータに基づいて現像剤量を求めることを特徴とする請求項１または２に記載の画像形成装置。
【請求項４】
前記第１の動作モードにおけて前記現像剤量検知手段によって検知される現像剤量に係わるデータと、前記第２の動作モードにおけて前記現像剤量検知手段によって検知される現像剤量に係わるデータとの関係を示す情報とは、一次次関数式を示す情報であることを特徴とする請求項１に記載の画像形成装置。
【請求項５】
前記補正処理したデータと前記現像剤量との関係を示す情報とは、一次関数式を示す情報であることを特徴とする請求項２に記載の画像形成装置。
【請求項６】
前記第２の動作モードとは前記第１の動作モードよりも遅い画像形成速度で画像形成を行うモードであることを特徴とする請求項１〜５のいずれかの項に記載の画像形成装置。
【請求項７】
前記光透過式の現像剤量検知手段とは、発光部と受光部とから構成されることを特徴とする請求項１〜６のいずれかの項に記載の画像形成装置。
【請求項８】
前記現像剤容器と前記記憶手段とを有するカートリッジが前記画像形成装置に着脱可能であることを特徴とする請求項１〜７のいずれかの項に記載の画像形成装置。
【請求項９】
前記記憶手段に記憶される情報とは、前記現像剤容器に収容される現像剤の特性に応じた情報であることを特徴とする請求項１に記載の画像形成装置。
【請求項１０】
第１の動作モードと前記第１の動作モードとは画像形成速度が異なる第２の動作モードを有し、現像剤量を検知するための光透過式の現像剤量検知手段とを有する画像形成装置に着脱可能なカートリッジであって、
現像剤を収容する現像剤容器と、
前記第２の動作モードにおける前記現像剤量検知手段によって検知される現像剤量に係わるデータを補正するための情報を記憶する記憶領域を有する記憶媒体と、
を有することを特徴とするカートリッジ。
【請求項１１】
前記画像形成装置は、更に、前記第２の動作モードにおいて、前記現像剤量検知手段によって検知される現像剤量に係わるデータを補正処理するための処理手段を有し、
前記記憶媒体は、更に、
前記処理手段によって補正処理されたデータと前記現像剤量との関係を示す情報を記憶する記憶領域を有することを特徴とする請求項１０に記載のカートリッジ。
【請求項１２】
前記第２の動作モードにおける前記現像剤量検知手段によって検知される現像剤量に係わるデータを補正するための情報とは、一次関数式を示す情報であることを特徴とする請求項１０に記載のカートリッジ。
【請求項１３】
更に、画像形成を行うためのプロセス手段として、感光体、感光体を帯電するための帯電手段、感光体上の潜像を現像するための現像手段、感光体をクリーニングするためのクリーニング手段の少なくとも１つを有することを特徴とする請求項１０〜１２のいずれかの項に記載のカートリッジ。
【請求項１４】
前記記憶媒体に記憶される情報とは、前記現像剤収容部に収容される現像剤の特性に応じた情報であることを特徴とする請求項１０に記載のカートリッジ。
【請求項１５】
第１の動作モードと前記第１の動作モードとは画像形成速度が異なる第２の動作モードを有し、現像剤を収容する現像剤収容部の現像剤量を検知するための光学式の現像剤量検知手段とを有する画像形成装置に用いられるカートリッジに搭載される記憶媒体であって、
前記第２の動作モードにおける前記現像剤量検知手段によって検知される現像剤量に係わるデータを補正すための情報を記憶する記憶領域を有することを特徴とする記憶媒体。
【請求項１６】
前記画像形成装置は、更に、前記第２の動作モードにおいて、前記現像剤量検知手段によって検知される現像剤量に係わるデータを補正処理するための処理手段を有し、
更に、前記処理手段によって補正処理されたデータと前記現像剤量との関係を示す情報を記憶する記憶領域を有することを特徴とする請求項１５に記載の記憶媒体。
【請求項１７】
更に、前記現像剤量に係わる情報を記憶する記憶領域を有することを特徴とする請求項に記載１５または１６に記載の記憶媒体。
【請求項１８】
前記第２の動作モードにおける前記現像剤量検知手段によって検知される現像剤量に係わるデータを補正するための情報とは、１次関数式を示す情報であることを特徴とする請求項１５に記載の記憶媒体。
【請求項１９】
前記記憶媒体に記憶される情報とは、前記現像剤収容部に収容される現像剤の特性に応じた情報であることを特徴とする請求項１５に記載の記憶媒体。
【手続補正２】
【補正対象書類名】明細書
【補正対象項目名】００１２
【補正方法】変更
【補正の内容】
【００１２】
本発明の画像形成装置は、
第１の動作モードと前記第１の動作モードとは画像形成速度が異なる第２の動作モードを有する画像形成装置であって、
現像剤を収容する現像剤容器と、
前記現像剤容器の現像剤量を検知するための光透過式の現像剤量検知手段と、
前記現像剤量検知手段によって検知される現像剤量に係わるデータに基づいて現像剤量を求める処理手段と、
前記第２の動作モードにおいて前記現像剤量検知手段によって検知される現像剤量に係わるデータを補正するための情報を記憶する記憶手段と、を有し、
前記処理手段は、前記第２の動作モードにおいて、前記現像剤量検知手段によって検知される現像剤量に係わるデータを前記記憶手段に記憶されている情報に基づいて補正処理して、補正処理したデータに基づいて現像剤量を求めることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、本発明のカートリッジは、
第１の動作モードと前記第１の動作モードとは画像形成速度が異なる第２の動作モードを有し、現像剤量を検知するための光透過式の現像剤量検知手段とを有する画像形成装置に着脱可能なカートリッジであって、
現像剤を収容する現像剤容器と、
前記第２の動作モードにおける前記現像剤量検知手段によって検知される現像剤量に係わるデータを補正するための情報を記憶する記憶領域を有する記憶媒体と、
を有することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
また、本発明の記憶媒体は、
第１の動作モードと前記第１の動作モードとは画像形成速度が異なる第２の動作モードを有し、現像剤を収容する現像剤収容部の現像剤量を検知するための光学式の現像剤量検知手段とを有する画像形成装置に用いられるカートリッジに搭載される記憶媒体であって、
前記第２の動作モードにおける前記現像剤量検知手段によって検知される現像剤量に係わるデータを補正すための情報を記憶する記憶領域を有することを特徴とする。
【手続補正８】
【補正対象書類名】明細書
【補正対象項目名】００１８
【補正方法】削除
【補正の内容】